(57)【要約】【課題】キャップを容器の口部から取り外したのちに再度使用する場合に、これらの作業中に手指を怪我するおそれがないキャップ付き容器を提供する。【解決手段】容器１と、上記容器１の口部４に螺着されるキャップ２１とを備えている。そして、可撓性リング板１１が上記口部４の根元に固着され、上記可撓性リング板１１の上面の所定個所にリブ１３が形成されているとともに、このリブ形成個所に対応する外周部の部分に舌片部１４が形成され、上記キャップ２１の開口部に上記可撓性リング板１１のリブ１３に係合するリブ２５が形成され、閉蓋時に上記両リブ１３，２５が係合してキャップ２１を回り止めし、開蓋時には舌片部１４を下向きに押圧した状態でキャップ２１を回転させて上記両突起１３，２５の係合を外すように構成している。【選択図】図１６
2008056298.tif 000002
【特許請求の範囲】
【請求項１】
容器と、上記容器の口部に螺着されるキャップとを備え、環状可撓板が上記口部の根元に固着され、上記環状可撓板の上面の所定個所に突起が形成されているとともに、この突起形成個所に対応する外周部の部分に舌片部が形成され、上記キャップの開口部に上記環状可撓板の突起に係合する突起が形成され、閉蓋時に上記両突起が係合してキャップを回り止めし、開蓋時には舌片部を下向きに押圧した状態でキャップを回転させて上記両突起の係合を外すように構成したことを特徴とするキャップ付き容器。
【請求項２】
閉蓋状態ではキャップの突起と環状可撓板の突起とがキャップの周方向に隣接した状態で係合してキャップを回り止めし、開蓋時には舌片部を下向きに押圧した状態でキャップを回転させ、このキャップの突起で、上記舌片部の押圧により下降した環状可撓板の突起の上部を押圧して環状可撓板の突起を変形させもしくは破壊することで上記係合を外すように構成した請求項１記載のキャップ付き容器。
【発明の詳細な説明】
【技術分野】
【０００１】
本発明は、化粧料収容容器，食品収容容器，バイアル瓶等の各種容器において、そのキャップが開蓋されたか開蓋されていないかが簡単に判る改ざん防止用のキャップ付き容器に関するものである。
【背景技術】
【０００２】
従来から、化粧料，食品等の各種の内容物を収容する容器と、この容器の口部にねじ止めされるキャップとからなるキャップ付き容器が多く出回っているが、このものは、容器の口部にキャップをねじ止めしているだけであるため、簡単に開蓋することができる。したがって、容易に内容物の改ざん等が行われる危険がある。
【０００３】
そこで、このような改ざん等が行われるのを防止するため、例えば、図１９および図２０に示すようなキャップ付きボトルが提案されている。このキャップ付きボトルは、ボトル４１と、このボトル４１の口部４１ａに螺着されるキャップ４２とを備えている。また、このキャップ４２は、天板部４３と、内周面にねじ部（図示せず）が形成されこのねじ部が上記口部４１ａのねじ部４１ｂに螺合する周壁部４４と、この周壁部４４の下端側に所定の間隔をあけて配設され上記口部４１ａの（ねじ部４１ｂ下方の）環状の係止部４１ｃに係止される環状のバンド部４５と、上記周壁部４４とバンド部４５と間に配設され上記周壁部４４とバンド部４５の（周方向の）一端とを連結する連結部４６と、上記周壁部４４とバンド部４５との間に形成され上記周壁部４４とバンド部４５とを（上記連結部４６を残した状態で）切り離し可能に連結する第１ブリッジ部４７と、上記バンド部４５の（周方向の）両端の間に形成されこれら両端を切り離し可能に連結する第２ブリッジ部４８とからなっている。
【０００４】
そして、キャップ４２を開蓋方向に回転させると、この回転の途中でキャップ４２の第１および第２ブリッジ部４７，４８が切り離され、バンド部４５が連結部４６を介して周壁部４４に連結された状態でボトル４１の口部４１ａから取り外される（図２０参照）。また、再度使用する（すなわち、開蓋後に再度閉蓋する）場合には、上記連結部４６を折り曲げること等によって切断してバンド部４５を周壁部４４から取り除いたのちキャップ４２を上記口部４１ａに螺着することを行う（例えば、特許文献１参照）。
【特許文献１】特開２００５−８２０２号公報
【発明の開示】
【発明が解決しようとする課題】
【０００５】
しかしながら、上記のキャップ付きボトルでは、キャップ４２をボトル４１の口部４１ａから取り外したのち、再度使用する場合には、連結部４６を折り曲げること等によって切断してバンド部４５を周壁部４４から切り離さなければならず、この作業に手間がかかるうえ、この作業中に手指を怪我するおそれがある。しかも、キャップ４２を上記口部４１ａから取り外した状態では、キャップ４２の周壁部４４の下端面に凸凹形状の切り離し部分が露出しているため、キャップ４２を上記口部４１ａに螺着する際に、上記切り離し部分に手指が触れて怪我をするおそれがある。しかも、開蓋時には、キャップ４２を開蓋方向に回転させるだけでよく、子供でも簡単に開蓋することができる。したがって、ボトル４１内に人体に有害な薬液等が収容されている場合にも、子供が誤って開蓋してボトル４１内の薬液等を飲んでしまうという事故等が発生するおそれがある。
【０００６】
本発明は、このような事情に鑑みなされたもので、キャップを容器の口部から取り外したのちに再度使用する場合に、キャップをそのまま上記口部に取り付けることができ、しかも、この取り付け作業中に手指を怪我するおそれがないキャップ付き容器の提供をその目的とする。
【課題を解決するための手段】
【０００７】
上記の目的を達成するため、本発明のキャップ付き容器は、容器と、上記容器の口部に螺着されるキャップとを備え、環状可撓板が上記口部の根元に固着され、上記環状可撓板の上面の所定個所に突起が形成されているとともに、この突起形成個所に対応する外周部の部分に舌片部が形成され、上記キャップの開口部に上記環状可撓板の突起に係合する突起が形成され、閉蓋時に上記両突起が係合してキャップを回り止めし、開蓋時には舌片部を下向きに押圧した状態でキャップを回転させて上記両突起の係合を外すように構成したという構成をとる。
【発明の効果】
【０００８】
すなわち、本発明のキャップ付き容器は、閉蓋状態では、（容器の口部の根元に固着される）環状可撓板の上面に形成された突起が、（容器の口部に螺着される）キャップの開口部に形成された突起と係合しており、この係合によりキャップが回り止めされている。このような閉蓋状態から開蓋する場合には、上記環状可撓板の外周部に形成された舌片部を手指で下向きに押圧し、その状態でキャップを開蓋方向に回転させて上記両突起の係合を外し、そののちキャップの開蓋方向への回転を続けて容器の口部から取り外し開蓋することを行う。
【０００９】
上記のように、本発明のキャップ付き容器では、開蓋する場合には、環状可撓板の上面に形成された突起と、キャップの開口部に形成された突起との係合を外さなければならず、この係合を外す時には大きな力が必要であり、そのときの抵抗感が未開封のイメージを与えるが、一度開蓋してしまうと、すでに上記係合が外されているため、小さな力でも開蓋できる。したがって、開蓋する際に、大きな力が必要であるのか、小さな力でもできるのかの区別により、一度開蓋されたことがあるか、まだ開蓋されたことがないかが、簡単に判る。しかも、開蓋時には環状可撓板の舌片部を手指で下向きに押圧した状態でキャップを開蓋方向に回転させるだけでよいため、手指を怪我するおそれがなく、また再度使用する（すなわち、閉蓋する）際にも、キャップの開口部に形成された突起は、従来例のような凸凹形状の切り離し部分とは異なり、手で触っても怪我をするようなものではないため、このときにも手指を怪我するおそれがない。しかも、開蓋する場合には、上記環状可撓板の舌片部を手指で下向きに押圧しなければならず、子供にとって開蓋の方法がわかりにくい。
【００１０】
また、本発明において、閉蓋状態ではキャップの突起と環状可撓板の突起とがキャップの周方向に隣接した状態で係合してキャップを回り止めし、開蓋時には舌片部を下向きに押圧した状態でキャップを回転させ、このキャップの突起で、上記舌片部の押圧により下降した環状可撓板の突起の上部を押圧して環状可撓板の突起を変形させもしくは破壊することで上記係合を外すように構成した場合には、開蓋時に環状可撓板の突起を弾性変形させてもよく、また、塑性変形させもしくは破壊してもよく、環状可撓板の設計の自由度が大きくなる。
【発明を実施するための最良の形態】
【００１１】
つぎに、本発明を実施するための最良の形態について説明する。ただし、本発明は、この実施の形態に限られるものではない。
【００１２】
図１〜図３は本発明のキャップ付き容器の一実施の形態を示している。図において、１は合成樹脂製の容器であり、この実施の形態では、高級感のある化粧料収容容器が用いられている。上記容器１は、内部に化粧料（図示せず）を収容する略円筒状の胴部２と、この胴部２の上端開口部から上方に向かって縮径状に延びる肩部３（上記胴部２の天井壁で構成されている）と、この肩部３の中央開口部から上方に向かって略円筒状に延びる口部４（図３参照）とを備えている。
【００１３】
上記口部４には、図４〜図６に示すように、その上側小径部４ａの外周面に第１ねじ部５（図６では、図示せず）が刻設されており、その下側大径部４ｂの外周面には複数個もしくは１個（この実施の形態では、左右一対）の縦溝６が、その上端面から下方に向かって真っ直ぐに形成されている。
【００１４】
１１は上記口部４の下側大径部４ｂに外嵌状に固定される略円環状の合成樹脂製の可撓性リング板（環状可撓板）であり、図７〜図９に示すように、その内周面（すなわち、中央穴部１１ａの周側面）から、上記下側大径部４ｂの両縦溝６に上記口部４の周方向に回り止め状にかつ上下に着脱自在に係合する複数個もしくは１個（この実施の形態では、左右一対）の突片１２が内向きに突設されている。また、上記可撓性リング板１１の所定の個所（この実施の形態では、前側部分）の上面から、上記中央穴部１１ａの周縁から所定距離をあけた状態で、上記周縁に沿うようにして複数個もしくは１個（この実施の形態では、３個）のリブ（突起）１３が突設されており、これら各リブ１３が形成されている個所（リブ形成個所）に対応する上記可撓性リング板１１の外周面の部分から略半円状の舌片部１４が外側に向かって突設されている。なお、上記中央穴部１１ａは、上記口部４を挿通しうる丸穴形状に形成されている。
【００１５】
上記各リブ１３は、正面視で略二等辺三角形状に形成されており、上記可撓性リング板１１の上面から垂直に延びる垂直面１３ａと、この垂直面１３ａの上端からキャップ開蓋方向（この実施の形態では、反時計回り方向）に向かって下り傾斜状に延びる傾斜面１３ｂとを有している。
【００１６】
２１は上記口部４に螺着される合成樹脂製のキャップ（図１参照）であり、図１０〜図１２に示すように、円板形状の天井壁２２と円筒形状の周側壁２３とを備えた有天円筒状に形成されている。上記周側壁２３には、その内周面に、上記口部４の第１ねじ部５に螺合する第２ねじ部２４が刻設されており、その下端面には、その全周にわたって所定の距離をあけた状態で、上記リブ１３に着脱自在に係合する複数個もしくは１個（この実施の形態では、１２個）のリブ（突起）２５が突設されている。２６は上記周側壁２３の下端部外周面に突設された鍔部である。
【００１７】
上記各リブ２５は、正面視で略二等辺三角形に形成されており、上記周側壁２３の下端面から垂直に延びる垂直面２５ａと、この垂直面２５ａの下端からキャップ閉蓋方向（この実施の形態では、時計回り方向）に向かって上り傾斜状に延びる傾斜面２５ｂとを有している。図３および図１２において、２７は上記口部４を密閉状に蓋するシリコンゴム製のシール材であり、上記天井壁２２の下面に接着，固定されている。なお、このような第１ねじ部５と複数個のリブ２５を有する有天円筒状体からなるキャップ２１は、通常よく使用されているため、これを利用してもよいし、この実施の形態のために専用に作製してもよい。
【００１８】
上記の構成において、閉蓋状態では、容器１の口部４の下側大径部４ｂにその周方向に回り止め状に係合している可撓性リング板１１の３個のリブ１３と、これら各リブ１３に対応するキャップ２１の３個のリブ２５とが上記周方向に隣接した状態で係合しており、この係合により、キャップ２１が開蓋方向に回り止めされている（図１３および図１４参照）。
【００１９】
この閉蓋状態からキャップ２１を開蓋する場合には、図１３の状態から可撓性リング板１１の舌片部１４を手指で下方に（例えば、容器１の肩部３に当接するまで）押圧して可撓性リング板１１の各リブ１３を下方に移動させ（図１５および図１６参照）、その状態でキャップ２１を開蓋方向に回転させる。この回転力により、キャップ２１の３個のリブ２５で可撓性リング板１１の３個のリブ１３の上部を開蓋方向に押圧してこれらを塑性変形させもしくは破壊して上記係合を外したのち、そのままキャップ２１を上記開蓋方向に回転させて上記口部４から取り外し開蓋することを行う（図１７および図１８参照）。
【００２０】
また、開蓋後にキャップ２１を閉蓋する場合には、可撓性リング板１１を持ち上げて下側大径部４ｂから取り外したのち、上記口部４の外周部に沿ってさらに持ち上げて上記口部４から取り外し、そののち、キャップ２１を上記口部４に螺着することを行う。
【００２１】
また、最初に上記口部４に可撓性リング板１１，キャップ２１をセットする場合には、上記口部４に可撓性リング板１１を挿通し、上記口部４の下側大径部４ｂの両縦溝６に可撓性リング板１１の両突片１２を係合させたのち、キャップ２１を上記口部４に螺着することを行う。この螺着において、キャップ２１の回転の終わりに、キャップ２１のリブ２５は可撓性リング板１１の各リブ１３の上面を乗り越え、可撓性リング板１１の各リブ１３と上記周方向に隣接した状態で係合する。
【００２２】
このように、上記実施の形態では、開蓋する場合には、可撓性リング板１１のリブ１３とキャップ２１のリブ２５との係合を外さなければならず、この係合を外す時には大きな力が必要であり、そのときの抵抗感が未開封のイメージを与えるが、一度開蓋してしまうと、すでに上記係合が外されているため、小さな力でも開蓋できる。したがって、開蓋する際に、大きな力が必要であるのか、小さな力でもできるのかの区別により、一度開蓋されたことがあるか、まだ開蓋されたことがないかが、簡単に判る。しかも、開蓋時には可撓性リング板１１の舌片部１４を手指で下向きに押圧した状態でキャップ２１を開蓋方向に回転させるだけでよいため、手指を怪我するおそれがない。また、再度使用する（すなわち、閉蓋する）際にも、キャップ２１に形成されたリブ２５は、従来例のような凸凹形状の切り離し部分とは異なり、手で触っても怪我をするようなものではないため、このときにも手指を怪我するおそれがない。しかも、可撓性リング板１１のリブ１３は塑性変形させもしくは破壊しうる構造であればよく、その作製が容易になる。
【００２３】
なお、上記実施の形態において、上記口部４の下側大径部４ｂに縦溝６が形成され、可撓性リング板１１の内周面から突片１２が突設されているが、これに限定されるものではなく、上記口部４の下側大径部４ｂから突部が突設され、可撓性リング板１１の内周面に凹部が形成されていてもよい。
【００２４】
また、上記実施の形態では、開蓋時に可撓性リング板１１のリブ１３を下方に移動させることで、可撓性リング板１１のリブ１３とキャップ２１のリブ２５との当接面積を、閉蓋時よりも小さくし、これにより、可撓性リング板１１のリブ１３とキャップ２１のリブ２５との間に作用する応力を増大させて、可撓性リング板１１のリブ１３を塑性変形させもしくは破壊するようにしているが、上記リブ１３の近傍部分に、各リブ１３を取り囲むようにして薄肉部やミシン目を形成し、開蓋時に上記大きな応力を薄肉部やミシン目に作用させて薄肉部やミシン目を切断することにより、可撓性リング板１１からリブ１３を取り除く等して可撓性リング板１１のリブ１３とキャップ２１のリブ２５との係合を外すようにしてもよい。また、上記口部４の下側大径部４ｂに可撓性リング板１１を一体成形してもよい。
【００２５】
また、上記可撓性リング板１１を構成するプラスチック材料としては、各種のプラスチック材料が用いられるが、リブ１３を塑性変形もしくは破壊させやすいという観点から、好適には、ポリプロピレン（ＰＰ），高密度ポリエチレン（ＨＤＰＥ），ポリアミド（ＰＡ）等が用いられる。
【図面の簡単な説明】
【００２６】
【図１】本発明のキャップ付き容器の一実施の形態を示す斜視図である。
【図２】上記キャップ付き容器の要部の正面図である。
【図３】上記キャップ付き容器の要部の断面図である。
【図４】容器の口部の正面図である。
【図５】上記口部の断面図である。
【図６】上記口部の平面図である。
【図７】可撓性リング板の平面図である。
【図８】上記可撓性リング板の断面図である。
【図９】上記可撓性リング板の側面図である。
【図１０】キャップの正面図である。
【図１１】上記キャップの底面図である。
【図１２】上記キャップの断面図である。
【図１３】上記キャップ付き容器の作用を示す説明図である。
【図１４】上記キャップ付き容器の作用を示す断面図である。
【図１５】上記キャップ付き容器の作用を示す説明図である。
【図１６】上記キャップ付き容器の作用を示す断面図である。
【図１７】開蓋作業の途中を示す説明図である。
【図１８】開蓋状態の途中を示す説明図である。
【図１９】従来例を示す斜視図である。
【図２０】従来例の作用を示す斜視図である。
【符号の説明】
【００２７】
１  容器
４  口部
１１  可撓性リング板
１３，２５  リブ
１４  舌片部
２１  キャップ
【図１】
2008056298.tif 000003
【図２】
2008056298.tif 000004
【図３】
2008056298.tif 000005
【図４】
2008056298.tif 000006
【図５】
2008056298.tif 000007
【図６】
2008056298.tif 000008
【図７】
2008056298.tif 000009
【図８】
2008056298.tif 000010
【図９】
2008056298.tif 000011
【図１０】
2008056298.tif 000012
【図１１】
2008056298.tif 000013
【図１２】
2008056298.tif 000014
【図１３】
2008056298.tif 000015
【図１４】
2008056298.tif 000016
【図１５】
2008056298.tif 000017
【図１６】
2008056298.tif 000018
【図１７】
2008056298.tif 000019
【図１８】
2008056298.tif 000020
【図１９】
2008056298.tif 000021
【図２０】
2008056298.tif 000022